(57)【要約】【課題】磁気ヘッドが媒体の磁気ストライプに接触して移動する場合に、媒体が傾くおそれがある。【解決手段】通帳２に対して磁気ヘッド１７を移動させることにより磁気情報を読書きする磁気媒体処理装置１において、前記通帳２の搬送方向Ａに直交する方向に移動可能で、前記磁気情報の読書き時に、前記通帳２を媒体基準面１８に押し付け、押し付けた状態で前記通帳２を保持する可動ガイド部材２０を設ける。更に、前記磁気情報の読書き時には、搬送ローラ７は前記通帳２を挟持し、上下方向に保持する。【選択図】    図１
2010140141.tif 000002
【特許請求の範囲】
【請求項１】
磁気媒体に対して磁気ヘッドを移動させることにより磁気情報を読書きする磁気媒体処理装置において、
前記磁気媒体を搬送する媒体搬送路と、
前記磁気媒体の搬送方向に直交する方向の一端に設けた媒体基準面と、
前記磁気媒体の搬送方向に直交する方向の他端に設けられ、前記媒体基準面に向けて移動可能で、かつ前記磁気媒体を媒体基準面に押し付け、押し付けた状態で前記磁気媒体を保持する可動ガイド部材を設けたことを特徴とする磁気媒体処理装置。
【請求項２】
前記媒体搬送路に前記磁気媒体を搬送する複数の搬送ローラを離隔可能に設け、
前記可動ガイド部材が前記基準面に向けて移動する時には、前記搬送ローラは前記磁気媒体から離隔することを特徴とする請求項１記載の磁気媒体処理装置。
【請求項３】
前記磁気情報の読書き時には、前記搬送ローラは前記磁気媒体を挟持し、上下方向に保持することを特徴とする請求項２記載の磁気媒体処理装置。
【請求項４】
前記搬送路の下側に前記磁気媒体の搬送をガイドするロワガイドを有することを特徴とする請求項２又は３記載の磁気媒体処理装置。
【請求項５】
前記可動ガイド部材は、ステッピングモータの駆動により移動することを特徴とする請求項１記載の磁気媒体処理装置。
【発明の詳細な説明】
【技術分野】
【０００１】
本発明は、金融機関等で使用する通帳等の磁気媒体に対し、磁気ヘッドによって磁気情報を読書きする磁気媒体処理装置に関する。
【背景技術】
【０００２】
従来、金融機関等で使用する通帳には磁気ストライプが設けられており、前記磁気ストライプを備えた通帳を処理する装置においては、前記磁気ストライプを磁気ヘッドの位置に位置付ける必要がある。そのために、通帳をその搬送方向に対して直交する方向（幅方向）に移動させて搬送路の側部に設けられた基準面に突当てる所謂幅寄せを行なっている。幅寄せを行なった後、磁気ヘッドで磁気ストライプの磁気情報を読取ったり、或いは磁気情報を磁気ストライプに書込んだりする。このような、磁気ヘッドによる磁気情報の読書きには幾つかの方式がある。
【０００３】
特許文献１（特開２００７−２５９８３号公報）には、通帳の幅方向において磁気ヘッドと磁気ストライプが対向する位置へ通帳を移動した後、固定されている磁気ヘッドに対して通帳を搬送させながら磁気ストライプを磁気ヘッドに接触させて磁気情報の読書きを行なう方式が開示されている。
【０００４】
特許文献２（特開２０００−２４７４９８号公報）には、通帳を所定の位置へ搬送させた後、通帳を固定した状態にし、磁気ヘッドを磁気ストライプに接触させながら移動することで磁気情報の読書きを行なうような媒体の幅寄に関する技術が開示されている。
【特許文献１】特開２００７−２５９８３号公報
【特許文献２】特開２０００−２４７４９８号公報
【発明の開示】
【発明が解決しようとする課題】
【０００５】
しかしながら、磁気ヘッドを移動して磁気情報を読書きする際、上記特許文献２に開示される従来の方式においては、媒体を媒体基準面に対して中央の１ヶ所で弾性的に押圧しているので、磁気ヘッドが媒体の磁気ストライプに接触して移動する場合に、媒体が傾くおそれがあるという問題があった。磁気ヘッドの移動方向に対して媒体が傾くと、磁気情報を誤読したり、誤書込みをするという問題があった。
【０００６】
本発明は上記問題点に鑑みてなされたもので、その目的は、磁気媒体に対して磁気ヘッドを移動して磁気情報を読書きするものにおいて、磁気情報を読書きする際に磁気媒体が傾くことなく、その結果、誤読、誤書込みのない優れた磁気媒体処理装置を提供することにある。
【課題を解決するための手段】
【０００７】
上記課題を解決するために本発明は、磁気媒体に対して磁気ヘッドを移動させることにより磁気情報を読書きする磁気媒体処理装置において、前記磁気媒体の搬送方向に直交する方向に移動可能で、前記磁気情報の読書き時に、前記磁気媒体を媒体基準面に押し付け、押し付けた状態で前記磁気媒体を保持する可動ガイド部材を設けたことを特徴とするものである。
【発明の効果】
【０００８】
上記構成の本発明によれば、媒体基準面に押し付けた状態で磁気媒体を保持する可動ガイド部材を設けたので、磁気ヘッドが移動して磁気情報を読書きする際に磁気媒体が傾くことはなく、誤読、誤書込みが発生することのない磁気媒体処理装置を得ることができる。
【発明を実施するための最良の形態】
【０００９】
以下、本発明の実施の形態を図面に従って説明する。なお各図面に共通する要素には同一の符号を付す。図２は本実施の形態に関する磁気媒体処理装置１の構成図である。図２において、磁気媒体処理装置１には、磁気媒体としての通帳２が挿入、排出される挿入・排出口３が設けられ、挿入・排出口３に接続して媒体搬送路６が設けられている。媒体搬送路６は、前記媒体搬送路６の下側に設けられ、通帳２の搬送をガイドするロワガイド４と、前記媒体搬送路６の上側に設けられ、通帳２の搬送をガイドするアッパガイド５から形成される。媒体搬送路６に沿って複数箇所に通帳２を搬送する上下一対の搬送ローラ７が配設されている。媒体搬送路６に沿って挿入・排出口３側から順に、磁気読書き部９、幅寄せ部８、頁捲り部１０、頁行検出部１１、印字部１２、通帳カセット部１３及び通帳取込部１４が設けられている。
【００１０】
磁気読書き部９は移動可能な磁気ヘッドを有し、通帳２の磁気ストライプに対して磁気情報の読取り又は書込みを行なう。幅寄せ部８は通帳２を媒体基準面に突当てて幅寄せを行なうものであるが、当該幅寄せ部８については後述する。
【００１１】
頁捲り部１０は頁捲りローラ１０aを有し、通帳２の頁捲りを行なう。頁行検出部１１は通帳２に印刷されている頁マーク及び印字行の検出を行なう。印字部１２は、印字ヘッド１２aとプラテン１２ｂを有し、通帳２に取引内容等の印字を行なう。通帳カセット部１３は、印字中の通帳２の最終頁に印字可能行がなくなった場合に、新たに繰出し発行するための通帳２を収納しておく。また通帳取込部１４は、取引終了時に挿入・排出口３に排出された通帳２を顧客が取忘れた際に、当該取忘れた通帳２を保管するものである。
【００１２】
図１は本実施の形態に関する磁気媒体処理装置１の幅寄せ部８を示す平面図、図３は同じく幅寄せ部８を示す正面図である。図３は前記幅寄せ部８を前記挿入・排出口３側から見た図である。前記幅寄せ部８には、前述の通り通帳２の搬送をガイドする前記ロワガイド４が設けられており、ロワガイド４にはヘッド用開口部１５及びローラ用開口部１６a、１６ｂ（図３に示す）が形成されている。なお、図１及び図３においては、前記アッパガイド５は図示を省略する。
【００１３】
ヘッド用開口部１５は通帳２の搬送方向に向けて長尺状に形成された開口部であり、磁気ヘッド１７がこの中を移動して通帳２の磁気ストライプ部２aの磁気情報を読書きする。即ち、通帳２は長方形の磁気ストライプ部２ａを有するので、通帳２は、磁気ストライプ部２ａの長手方向を搬送方向に向けて搬送されてくる。後述するように、通帳２は矢印Ａ方向に搬送され、所定の位置に到達したことが、図示しないセンサにより検出されると、搬送が停止され、通帳２は当該所定の位置に停止する。その後、幅寄せが行なわれ、通帳２の前記磁気ストライプ部２ａが前記ヘッド用開口部１５に対応する位置に位置付けされる。磁気ヘッド１７は図示しない磁気ヘッド駆動部の駆動により移動する。ローラ用開口部１６a、１６ｂは搬送ローラ７の内の後述する下部搬送ローラ７ｂのスペース分だけ形成された開口であり、下部搬送ローラがこの中で回転する。
【００１４】
ロワガイド４の一側には垂直面が形成され、この垂直面が媒体基準面１８を構成する。媒体基準面１８の反対側には垂直面をなした媒体ガイド１９（１９a、１９ｂ）が形成されている。通帳２は媒体基準面１８と媒体ガイド１９の間を矢印Ａ方向又はＢ方向に搬送される。幅寄せ部８における媒体ガイド１９の中間、即ち媒体ガイド１９aと媒体ガイド１９ｂの間には隙間が形成され、この隙間に可動ガイド２０が通帳２の搬送方向に直交する方向に移動可能に配設されている。可動ガイド２０についての詳細は後述する。
【００１５】
搬送ローラ７は図３に示すように上部搬送ローラ７a及び下部搬送ローラ７ｂから成り、上部搬送ローラ７ａは回転軸２７ａに取付けられ、下部搬送ローラ７ｂは回転軸２７ｂに取付けられる。上部搬送ローラ７a及び下部搬送ローラ７ｂにより通帳２を挟持して回転することにより、通帳２を搬送する。このうち回転軸２７bが垂直方向に移動することにより、下部搬送ローラ７ｂは、上下方向に移動可能になっており、下部搬送ローラ７ｂは、上部搬送ローラ７ａから離隔可能である。
【００１６】
図４は本実施の形態に関する可動ガイド駆動機構を示す概略構成図である。図４において、前記可動ガイド２０は、スペーシングプレート２１に固定されており、スペーシングプレート２１は可動ガイド２０とともに通帳２の搬送方向に直交する方向である矢印Ｃ方向又はＤ方向に移動可能に配設されている。
【００１７】
スペーシングプレート２１の下部にはラック部２２が形成されている。ラック部２２にはアイドルギア２３が噛み合い、アイドルギア２３にはアイドルギア２４と同軸の図示しない背面のギアと噛み合い、アイドルギア２４はステッピングモータ２５のモータギア２６と噛み合っている。従ってステッピングモータ２５の回転により、スペーシングプレート２１は矢印Ｃ方向又はＤ方向に移動し、よって、可動ガイド２０は通帳２の搬送方向に直交する方向に移動する。
【００１８】
またスペーシングプレート２１の側端部には図示しないセンサスリットが設けられており、スペーシングプレート２１が移動すると、前記センサスリットも移動する。筐体側に設けられた図示しない２つの受発光検出センサによりセンサスリットの移動を検出する。これによりスペーシングプレート２１のホームポジションと幅寄せポジションを検出するようになっている。ホームポジションは幅寄せ開始位置であり、図１に示す可動ガイド２０のガイド面２０ａが媒体ガイド１９aと１９ｂの面と一致する位置である。一方、幅寄せポジションは幅寄せ終了位置であり、後述する図５に示す幅寄せ動作終了位置である。
【００１９】
次に実施の形態の動作を説明する。ここでは通帳２の磁気情報の読書き動作時における通帳２の幅寄せ動作を説明する。図２に示す挿入・排出口３から通帳２が挿入されると、図示しないセンサにより通帳２の挿入が検出され、搬送ローラ７が回転駆動される。これにより通帳２が装置内部へ吸入搬送される。通帳２は図１における矢印Ａ方向に搬送され、前記幅寄せ部８の所定の位置に到達したことが、図示しないセンサにより検出されると、搬送が停止され、通帳２は当該所定の位置に停止する。この所定の位置は幅寄せ部８における幅寄せ位置である。この位置は、通帳２の搬送方向における通帳２の中央部が可動ガイド２０に対向する位置である。そこで回転軸２７ｂを垂直方向に移動することにより、下部搬送ローラ７ｂを下方へ移動させ、通帳２から離隔する。このとき可動ガイド２０は図１に示すホームポジションに位置している。
【００２０】
その後、図４に示すステッピングモータ２５を駆動し、アイドルギア２４、２３を介してスペーシングプレート２１を矢印Ｃ方向に移動させる。これにより可動ガイド２０を同方向に移動させて、通帳２を媒体基準面１８に押し付ける。可動ガイド２０が通帳２を媒体基準面１８に充分押し付けたところで、上述した図示しない受発光検出センサがスペーシングプレート２１の端部に設けた図示しないセンサスリットを検出し、この検出信号によりステッピングモータ２５が停止させられる。
【００２１】
図５は実施の形態の幅寄せ動作を示す平面図である。前記検出信号によりステッピングモータ２５が停止させられる状態を示す。これにより通帳２は、可動ガイド２０のガイド面２０ａと媒体基準面１８との間に保持される。可動ガイド２０のガイド面２０ａは、通帳２の搬送方向における通帳２の中央部に圧接し、通帳２を動かないように保持するのに充分な当接面積を有する。可動ガイド２０は、磁気情報の読取り又は書込みが終了するまでこの位置に保持される。以上の幅寄せの結果、通帳２の磁気ストライプ部２ａは磁気ヘッド１７の上部に位置する。
【００２２】
図６は幅寄せ時に通帳２を位置固定した状態を示す正面図である。通帳２の磁気ストライプ部２ａが磁気ヘッド１７の上部に位置した後、同図に示すように、回転軸２７ｂを上方向に移動することにより、通帳２から離隔してある下部搬送ローラ７ｂを上昇させ、下部搬送ローラ７ｂを通帳２に圧接させる。そして上部搬送ローラ７ａと下部搬送ローラ７ｂとで通帳２をクランプする。これにより通帳２は、幅方向には可動ガイド２０のガイド面２０ａと媒体基準面１８とで位置固定され、上下方向には上部搬送ローラ７ａと下部搬送ローラ７ｂとで位置固定される。この状態で磁気ヘッド１７が図示しない磁気ヘッド駆動部により駆動され、通帳２の磁気ストライプ部２ａに接触して移動することにより磁気情報の読書きを行なう。このとき通帳２は横方向及び上下方向に位置固定されているので、磁気ヘッド１７が接触して移動しても通帳２が傾くことはない。
【００２３】
磁気情報の読書きが終了すると、ステッピングモータ２５が幅寄せ時とは反対方向に回転駆動され、可動ガイド２０が矢印Ｄ方向に移動されてホームポジションに戻される。ホームポジションへの位置付けは、上述したように図示しない受発光検出センサがスペーシングプレート２１の端部に設けた図示しないセンサスリットを検出し、この検出信号によりステッピングモータ２５が停止させられることにより行なわれる。その後通帳２は搬送ローラ７により、通帳搬送方向である図５に示す矢印Ａ方向に搬送され、次の処理が行なわれる。
【００２４】
以上のように本実施の形態では、通帳２の幅寄せ時に可動ガイド２０のガイド面２０aと媒体基準面１８とで通帳２を幅方向に位置固定することにより、磁気情報の読書き時に磁気ヘッド１７に移動による通帳２の傾きは発生せず、磁気情報の誤読又は誤書き込みを防止することができる。また本実施の形態では上部搬送ローラ７aと下部搬送ローラ７ｂとで通帳２を上下方向に位置固定しているので、より強固に通帳２を保持でき、磁気情報の誤読又は誤書込みを一層防止することができる。
【００２５】
上記実施の形態では磁気媒体として金融機関等で使用する通帳を例にして説明したが、通帳に限らずカード等他の磁気媒体にも本発明は適用可能である。
【図面の簡単な説明】
【００２６】
【図１】本実施の形態に関する磁気媒体処理装置の幅寄せ部を示す平面図である。
【図２】本実施の形態に関する磁気媒体処理装置の構成図である。
【図３】同じく磁気媒体処理装置の幅寄せ部を示す正面図である。
【図４】本実施の形態に関する可動ガイド駆動機構を示す概略構成図である。
【図５】実施の形態に関する幅寄せ動作を示す平面図である。
【図６】幅寄せ時に通帳を位置固定した状態を示す正面図である。
【符号の説明】
【００２７】
１      磁気媒体処理装置
２      通帳
２a     磁気ストライプ
７a     上部搬送ローラ
７b     下部搬送ローラ
１７    磁気ヘッド
１８    媒体基準面
２０    可動ガイド
２０a   ガイド面
【図１】
2010140141.tif 000003
【図２】
2010140141.tif 000004
【図３】
2010140141.tif 000005
【図４】
2010140141.tif 000006
【図５】
2010140141.tif 000007
【図６】
2010140141.tif 000008